(57)【要約】【課題】交差する壁からなる角部でも固定可能な猫の爪研ぎを提供する。【解決手段】猫の爪研ぎ１の爪研ぎ本体１１は、箱体１２と隣接する第１爪研ぎ部材１３及び第２爪研ぎ部材１４とを備える。箱体１２に、第１爪研ぎ部材１３を収容する第１収容部２１と、第２爪研ぎ部材１４を収容する第２収容部２２とを設け、開口部１６から各爪研ぎ部材１３，１４の爪研ぎ面１５を露出する。各収容部２１，２２に受部３１を設け、爪研ぎ時に生じた削り滓を受ける。箱体１２に、第１収容部２１と第２収容部２２とを区画する折り曲げ自在な折り線４１を設定する。各収容部２１，２２に、使用時に上方へ折り返される折返し片６１と、背面に沿って切り起こされる舌片１１２とを設ける。【選択図】　　　　　図１
0003097399.tif 000002
【実用新案登録請求の範囲】
【請求項１】
第１爪研ぎ部材と、
該第１爪研ぎ部材に隣接して配置された第２爪研ぎ部材と、
前記第１爪研ぎ部材を収容する第１収容部及び前記第２爪研ぎ部材を収容する第２収容部が設けられた箱体とを備え、
前記箱体の前記両収容部間に、折り曲げ自在な折曲部を設定し、該折曲部で区画された各収容部側を対象箇所に固定する固定手段を設けたことを特徴とする猫の爪研ぎ。
【請求項２】
前記固定手段を、使用時に前記箱体より切り起こされる固定片で構成したことを特徴とする請求項１記載の猫の爪研ぎ。
【請求項３】
前記固定片を、前記各収容部の前面に開口部を形成する際に切り起こされて上方へ折り返される折返し片で構成したことを特徴とする請求項２記載の猫の爪研ぎ。
【請求項４】
前記固定片を、使用時に背面に沿って切り起こされる舌片で構成したことを特徴とする請求項２又は３記載の猫の爪研ぎ。
【考案の詳細な説明】
【０００１】
【考案の属する技術分野】
本考案は、猫が爪を研ぐ猫の爪研ぎに関する。
【０００２】
【従来の技術】
従来、猫による柱への引っ掻き傷を防止する際には、図６に示すように、猫の爪研ぎ２０１が使用されていた。
【０００３】
この猫の爪研ぎ２０１の爪研ぎ本体２１１は、一対の爪研ぎ部材２１２，２１２からなり、両爪研ぎ部材２１２，２１２は、背面側にて折り曲げ自在に連結されている。これにより、図６の（ａ）に示すように、柱２１３の角部２１４に沿って配置できるように構成されている。
【０００４】
また、両爪研ぎ部材２１２，２１２の側部からは、紐２２１，２２１が延出しており、この紐２２１，２２１を結ぶことによって、当該爪研ぎ本体２１１を柱２１３に巻き付けた状態で固定できるように構成されている。
【０００５】
【考案が解決しようとする課題】
しかしながら、このような猫の爪研ぎ２０１にあっては、図６の（ｂ）に示すように、壁２３１と壁２３１との角部２３２には、固定できないという問題があった。
【０００６】
本考案は、このような従来の課題に鑑みてなされたものであり、交差する壁からなる角部であっても固定することができる猫の爪研ぎを提供することを目的とするものである。
【０００７】
【課題を解決するための手段】
前記課題を解決するために本考案の請求項１の猫の爪研ぎにあっては、第１爪研ぎ部材と、該第１爪研ぎ部材に隣接して配置された第２爪研ぎ部材と、前記第１爪研ぎ部材を収容する第１収容部及び前記第２爪研ぎ部材を収容する第２収容部が設けられた箱体とを備え、前記箱体の前記両収容部間に、折り曲げ自在な折曲部を設定し、該折曲部で区画された各収容部側を対象箇所に固定する固定手段を設けた。
【０００８】
すなわち、この猫の爪研ぎを角部に設置する際には、箱体を折曲部にて折り曲げる。そして、第１爪研ぎ部材が収容された第１収容部を一方の壁面に沿って配置するとともに、前記第２爪研ぎ部材が収容された第２収容部を他方の壁面に沿って配置する。
【０００９】
この状態において、各収容部側に設けられた固定手段を壁面に固定することによって、当該猫の爪研ぎは、前記箱体を介して角部を構成する各壁面に固定される。
【００１０】
また、請求項２の猫の爪研ぎにおいては、前記固定手段を、使用時に前記箱体より切り起こされる固定片で構成した。
【００１１】
すなわち、この猫の爪研ぎを設置する際には、各収容部側に設けられた各固定片を切り起こす。そして、各固定片を介して壁面に画鋲を刺すなどすることによって、当該猫の爪研ぎは、前記箱体を介して角部を構成する各壁面に固定される。
【００１２】
さらに、請求項３の猫の爪研ぎでは、前記固定片を、前記各収容部の前面に開口部を形成する際に切り起こされて上方へ折り返される折返し片で構成した。
【００１３】
すなわち、箱体を固定する固定片は、各収容部の前面に開口部を形成する際に切り起こされて上方へ折り返される折返し片で構成されている。
【００１４】
このため、使用時に切り起こされる前記折返し片は、前記固定片として有効利用される。
【００１５】
加えて、請求項４の猫の爪研ぎにあっては、前記固定片を、使用時に背面に沿って切り起こされる舌片で構成した。
【００１６】
すなわち、箱体を固定する固定片は、使用時に背面に沿って切り起こされる舌片で構成されている。
【００１７】
このため、使用時に前記箱体から切り起こされる前記舌片は、前記固定片として有効利用される。
【００１８】
また、この舌片は、箱体の背面に沿って切り起こされる。このため、各舌片は、背面が面接される壁面に沿って配置される。
【００１９】
【考案の実施の形態】
以下、本考案の一実施の形態を図にしたがって説明する。図１は、本実施の形態にかかる猫の爪研ぎ１を示す図であり、該猫の爪研ぎ１は、猫による柱や壁などの壁面２，２への引っ掻き傷を防止するために使用するものである。
【００２０】
この猫の爪研ぎ１の爪研ぎ本体１１は、箱体１２と、隣接して配置された第１爪研ぎ部材１３及び第２爪研ぎ部材１４とを備えており、両爪研ぎ部材１３，１４は、縦長の矩形状に形成されている。各爪研ぎ部材１３，１４は、複数積層された段ボールからなり、各段ボールの端面が爪研ぎ面１５を構成している。
【００２１】
前記箱体１２には、前記第１爪研ぎ部材１３を収容する第１収容部２１と、前記第２爪研ぎ部材１４を収容する第２収容部２２とが形成されており、両収容部２１，２２に設けられた開口部１６，１６からは、各爪研ぎ部材１３，１４の前記爪研ぎ面１５，１５が露出し、猫が爪研ぎ面１５，１５を引っ掻くことで爪研ぎができるように構成されている。
【００２２】
そして、前記各収容部２１，２２の底部には、トレイ状の受部３１，３１が設けられており、該受部３１によって爪研ぎ時に生じた削り滓を受け、床等への散乱を防止できるように構成されている。
【００２３】
図２は、前記箱体１２を展開した状態を示す図であり、該箱体１２は、ボール紙によって形成されており、中央部には、前記第１収容部２１と第２収容部２２とを区画する折り曲げ自在な折曲部としての折り線４１が設定されている。この箱体１２には、図中破線で示すように、断続的に切断されてなる切り込み線が設けられており、使用時には、この切り込み線に沿って切断できるように構成されている。
【００２４】
すなわち、各収容部２１，２２正面５１の天面側５２の両角部には、円弧状切り込み線５３，５３が形成されており、この円弧状切り込み線５３，５３からは、底面５４側へ向けて側縁切り込み線５５，５５が延設されている。両側縁切り込み線５５，５５は、その先端近傍が横断切り込み線５６によって連設されており、この横断切り込み線５６の中央上部には、ピン穴５７が形成されている。
【００２５】
これにより、前記円弧状切り込み線５３，５３と側縁切り込み線５５，５５と横断切り込み線５６とに沿って切断し、この部位を上方へ折り返すことによって、図１に示したように、各収容部２１，２２正面５１の上部に前記開口部１６を形成するとともに、この折返し片６１の前記ピン穴５７へ画鋲６２を刺すことで、当該爪研ぎ本体１１の各収容部２１，２２を壁面２，２に固定できるように構成されている。つまり、前記各収容部２１，２２には、前記円弧状切り込み線５３，５３と側縁切り込み線５５，５５と横断切り込み線５６とによって、使用時に当該箱体１２より切り起こされる本考案の固定片である前記折返し片６１が形成されている。
【００２６】
各収容部２１，２２正面５１の底面側には、図２に示したように、底部横断切り込み線７１が横設されており、該底部横断切り込み線７１の中央部には、底面５４側へ突出した凸部切り込み線７２が形成されている。この底部横断切り込み線７２は、各収容部２１，２２の両側面７３，７３の中途部まで達しており、その両端からは、天面５２側へ向けて延在する側面切り込み線７４，７４が形成されている。また、前記底部横断切り込み線７１の両端部からは、前記正面５１の側縁に沿って天面５２側へ向けて延在する短切り込み線７５，７５が形成されている。
【００２７】
前記各側面切り込み線７４，７４の先端は、側面横断切り込み線８１，８１によって前記側縁切り込み線５５，５５に連設されており、前記折返し片６１の下部には、図３に示すように、使用時に各収容部２１，２２から切り離されて前記開口部１６，１６の下部を形成する切り取り片８２，８２が形成されている。
【００２８】
この切り取り片８２には、複数の折り線９１，・・・が設定されており、図４の（ａ）に示すように、底面部９２の左右側部を折曲して起こすことにより、側壁部９３，９３を形成できるように構成されている。また、この側壁部９３，９３の前端部を内側へ折曲した後、両側壁部９３，９３間より延出した部位９４を折り返すとともに、その先端に形成された凸部９５を底面部９２に形成された切欠部９６に差し込んで係止した状態で、図４の（ｂ）に示すように、前壁部９７を形成できるように構成されている。
【００２９】
また、前記底面部９２より後方へ延出した部位を折曲して起こすことで後壁部１０１を形成し、トレイ状の前記受部３１を形成できるように構成されている。そして、この後壁部１０１を、図５の（ａ）に示すように、前記箱体１２の各収容部２１，２２の底面１０２より差し込むことによって、前記後壁部１０１を前記各収容部２１，２２に係止できるように構成されている。このとき、各収容部２１，２２の背面１０３下縁には、スリット１０４，１０４が形成されており、前記両側壁部９３，９３後端部１０４，１０４を、図５の（ｂ）に示すように、各スリット１０４，１０４に差し込むことで、当該受部３１を前記箱体１２の各収容部２１，２２に取り付けられるように構成されている。
【００３０】
つまり、前記爪研ぎ本体１１には、爪研ぎ時に生じた削り滓を受けるトレイ状の前記受部３１，３１が底部に嵌着されることによって外側から取り付けられ、各受部３１，３１は、その後壁面１０１，１０１が前記爪研ぎ本体１１の箱体１２の背面１０３と一体化された状態で係止されるように構成されている。また、この受部３１は、箱体１２に開口部１６を形成する為に切り取られる切り取り片８２で構成されている。
【００３１】
そして、各収容部２１，２２の背面１０３，１０３には、図２に示したように、コ字状の切り込み線１１１が形成されており、各収容部２１，２２には、使用時に背面１０３，１０３に沿って切り起こされる本考案の固定片である舌片１１２，・・・が形成されている。前記各切り込み部１１１，・・・の内側には、ピン穴１１３，・・・が形成されており、図１に示したように、前記各舌片１１２，・・・を切り起こしてピン穴１１３，・・・へ画鋲１１４，・・・を刺すことで、当該爪研ぎ本体１１を壁面２，２に立て掛けた状態で固定できるように構成されている。
【００３２】
さらに、前記各収容部２１，２２の背面１０３には、図２に示したように、上縁より上方へ延出する延出片１２１が形成されており、該延出片１２１には、山折り線１２２が横設されている。この山折り線１２２の両側には、円形穴１２３，１２３が形成されており、両円形穴１２３，１２３は、山折り時に互いに重なる位置に設けられている。
【００３３】
以上の構成にかかる本実施の形態において、この猫の爪研ぎ１を角部に設置する際には、箱体１２を折り線４１にて折り曲げ、各収容部２１，２２側に設けられた折返し片６１，６１及び舌片１１２，・・・をそれぞれ切り起こす。そして、第１爪研ぎ部材１３が収容された第１収容部２１を一方の壁面２に沿って配置するとともに、前記第２爪研ぎ部材１４が収容された第２収容部２２を他方の壁面２に沿って配置する。
【００３４】
この状態において、各折返し片６１，６１及び舌片１１２，・・・のピン穴５７，５７，１１３，・・・を介して、画鋲６２，６２，１１４，・・・を壁面２，２に刺すなどして、当該猫の爪研ぎ１を、前記箱体１２を介して角部の壁面２，２に固定することができる。
【００３５】
したがって、図１の（ａ）に示したように、交差する壁で構成された角部１３１であっても、図１の（ｂ）に示したように、柱１３２によって形成された角部１３３であっても、当該猫の爪研ぎ１を固定することができ、コーナー部分への引っ掻き傷を防止することができる。
【００３６】
また、この箱体１２を固定する固定片は、各収容部２１，２２に開口部１６，１６を形成する際に切り起こされて上方へ折り返される折返し片６１，６１で構成されている。このため、使用時に箱体１２から切り起こされる前記折返し片６１，６１を、前記固定片として有効利用することができる。
【００３７】
さらに、前記固定片は、使用時に背面１０３に沿って切り起こされる舌片１１２，・・・によっても構成されている。このため、使用時に前記箱体１２から切り起こされる各舌片１１２，・・・を、前記固定片として有効利用することができる。
【００３８】
また、この舌片１１２は、箱体１２の背面１０３に沿って切り起こされる。このため、各舌片１１２，・・・を、背面１０３が面接される壁面２，２に沿って配置することができ、当該猫の爪研ぎ１を各壁面２，２に密接して固定することができる。
【００３９】
なお、この舌片１１２，・・・及び前記折返し片６１，６１は、例えば両面テープのような固定手段で構成しても良い。
【００４０】
【考案の効果】
以上説明したように、本考案の請求項１の猫の爪研ぎにあっては、箱体の第１及び第２収容部を、角部を構成する壁面に沿って配置するとともに、各収容部側に設けられた固定手段によって、当該猫の爪研ぎを、前記箱体を介して角部の壁面に固定することができる。
【００４１】
したがって、柱によって形成された角部であっても、交差する壁で構成された角部であっても、当該猫の爪研ぎを固定することができ、コーナー部分への引っ掻き傷を防止することができる。
【００４２】
また、請求項２の猫の爪研ぎにおいては、箱体より切り起こされた各固定片を介して、壁面に画鋲を刺すなどすることによって、当該猫の爪研ぎを、前記箱体を介して、角部を構成する壁面に固定することができる。
【００４３】
これにより、両面テープ等の別部材が不要となる。
【００４４】
さらに、請求項３の猫の爪研ぎでは、箱体を固定する固定片が各収容部の前面に開口部を形成する際に切り起こされて上方へ折り返される折返し片で構成されている。このため、使用時に箱体から切り起こされる前記折返し片を、前記固定片として有効利用することができる。
【００４５】
さらに、請求項４の猫の爪研ぎでは、箱体を固定する固定片が、使用時に背面に沿って切り起こされる舌片で構成されている。このため、使用時に前記箱体から切り起こされる前記舌片を、前記固定片として有効利用することができる。
【００４６】
また、この舌片は、箱体の背面に沿って切り起こされる。このため、各舌片を、背面が面接される壁面に沿って配置することができ、各壁面に密接して固定することができる。
【図面の簡単な説明】
【図１】本考案の一実施の形態を示す図で、（ａ）は壁の角部に固定された状態を示す図であり、（ｂ）は柱の角部に固定された状態を示す図である。
【図２】同実施の形態の箱体を展開した状態を示す平面図である。
【図３】同実施の形態の使用手順を示す説明図である。
【図４】（ａ）は、図３に続く使用手順を示す説明図であり、（ｂ）は、同図の（ａ）に続く使用手順を示す説明図である。
【図５】（ａ）は、図４の（ｂ）に続く使用手順を示す説明図であり、（ｂ）は、同図の（ａ）に続く使用手順を示す説明図である。
【図６】従来の猫の爪研ぎを示す斜視図で、（ａ）は柱の角部に固定された状態を示す図であり、（ｂ）は壁の角部に固定された状態を示す図である。
【符号の説明】
１　　猫の爪研ぎ
１２　　箱体
１３　　第１爪研ぎ部材
１４　　第２爪研ぎ部材
１６　　開口部
２１　　第１収容部
２２　　第２収容部
４１　　折り線
６１　　折返し片
１１２　　舌片
【図１】
0003097399.tif 000003
【図２】
0003097399.tif 000004
【図３】
0003097399.tif 000005
【図４】
0003097399.tif 000006
【図５】
0003097399.tif 000007
【図６】
0003097399.tif 000008